(57)【要約】【課題】玉軸受における玉の保持力の強化及び安定性に優れる保持器と、それを用いた玉軸受の提供を目的とする。【解決手段】外径面と内径面とを有し、玉を保持するポケットがリング状に配列されている玉軸受用保持器であって、前記ポケットは前記内径面側に形成した円筒部と前記外径面側に形成した球面形状部とを有し、前記球面形状部は前記玉軸受用保持器の小端面側に開口し、かつ前記玉に摺接する円弧部を有しており、前記円弧部を形成する両端点が前記ポケットの幅方向の中心線よりも前記小端面側に位置することを特徴とする。【選択図】  図１
2016145595.tif 000002
【特許請求の範囲】
【請求項１】
外径面と内径面とを有し、玉を保持するポケットがリング状に配列されている玉軸受用保持器であって、
前記ポケットは前記内径面側に形成した円筒部と前記外径面側に形成した球面形状部とを有し、
前記球面形状部は前記玉軸受用保持器の小端面側に開口し、かつ前記玉に摺接する円弧部を有しており、前記円弧部を形成する両端点が前記ポケットの幅方向の中心線よりも前記小端面側に位置することを特徴とする玉軸受用保持器。
【請求項２】
前記ポケットの玉保持中心のピッチ円直径ＰＣＤＰが前記玉のピッチ円直径ＰＣＤＢよりも小さいことを特徴とする請求項１記載の玉軸受用保持器。
【請求項３】
請求項１又は２記載の玉軸受用保持器を用いたことを特徴とする玉軸受。
【発明の詳細な説明】
【技術分野】
【０００１】
本発明は、ラジアル玉軸受，アンギュラ玉軸受等の玉軸受に用いられる保持器および玉軸受に関する。
【背景技術】
【０００２】
玉軸受の分野では、外輪と内輪との間に転動体である複数の玉を等間隔に保持するために保持器が使用されている。
従来の保持器１００は、図６に示すように転動体である玉を収容するポケットＰ０は、ポケットの幅方向の中心線ＰＣよりも大端面８１の側に位置する摺接点Ｓ１，Ｓ２と、これに対して中心線ＰＣの反対側に位置する小端面８０側の摺接点Ｓ３による３点にて玉を保持するものであった。
なお、ここで保持器の大端面とは保持器の外径が大きい側の端面をいい、小端面とは保持器の外径が小さい側の端面をいうものとする。
このような３点保持構造では、玉の保持力が弱いという課題があった。
特許文献１には、ポケット形状を円筒面に形成し、外径近傍に突起を設けた保持器を開示する。
特許文献２には、ポケットの内面を合成樹脂製のライナにて覆うことで、振れ回り運動を防止する技術を開示し、ポケットのピッチ円直径と各転動体のピッチ円直径とを互いに異ならせることが記載されている。
しかし、同公報に開示する技術は、振れを防止するために各ポケット同士の相対変位を許容するものであるため、玉の保持力が充分とは言えない。
【先行技術文献】
【特許文献】
【０００３】
【特許文献１】特開平１０−１６９６５８号公報
【特許文献２】特開２００６−１４４９８４号公報
【発明の概要】
【発明が解決しようとする課題】
【０００４】
本発明は、玉軸受における玉の保持力の強化及び安定性に優れる保持器と、それを用いた玉軸受の提供を目的とする。
【課題を解決するための手段】
【０００５】
本発明に係る玉軸受用保持器は、外径面と内径面とを有し、玉を保持するポケットがリング状に配列されている玉軸受用保持器であって、前記ポケットは前記内径面側に形成した円筒部と前記外径面側に形成した球面形状部とを有し、前記球面形状部は前記玉軸受用保持器の小端面側に開口し、かつ前記玉に摺接する円弧部を有しており、前記円弧部を形成する両端点が前記ポケットの幅方向の中心線よりも前記小端面側に位置することを特徴とする。
従って、玉は円弧部の内側の球面部に摺接するように保持される。
【０００６】
本発明は、ポケットの玉保持中心のピッチ円直径ＰＣＤＰが玉のピッチ円直径ＰＣＤＢよりも小さく設定してもよい（請求項２）。
保持器を例えば、ナイロン等の弾性のある素材で製作し、このようにポケットの玉保持中心のピッチ円直径ＰＣＤＰを軸受における各玉のピッチ円直径ＰＣＤＢよりも小さく設定すると、円弧部の内側の球面部にて玉を内輪側に押し付けるように保持することになる。
よって、玉軸受が高速回転し、各玉に遠心力が働いても押し付けるように安定して保持する。
また、従来の保持器では外輪が熱膨張等により拡径すると、玉との間に隙間が生じる恐れがあるが、本発明に係る保持器にあっては、そのような場合にも玉を安定して内輪側に押し付けるように保持できる。
本発明に係る保持器は、ラジアル玉軸受，アンギュラ玉軸受等に適用できる。
【発明の効果】
【０００７】
本発明に係る保持器は、玉を球面形状部の円弧部全体で抱え込むように玉を保持するので、従来の３点保持構造に比較して保持力が強く安定している。
【図面の簡単な説明】
【０００８】
【図１】（ａ）は本発明に係る保持器の部分外観図を示し、（ｂ）はポケット形状を示す。
【図２】ポケットに玉を保持させた状態の斜視図を示す。
【図３】（ａ）は図２に示すＺ−Ｚ線の断面図，（ｂ）はポケットの平面図，（ｃ）は同図（ｂ）に示すＷ−Ｗ線断面図及び外輪と内輪との位置関係を示す。
【図４】本発明に係る保持器の正面図と側面図を示す。
【図５】（ａ）は図４のＡ視図、（ｂ）はＢ視図、（ｃ）はＣ視図、（ｄ）はＤ視図を示す。
【図６】従来の保持器のポケット形状例を示す。
【発明を実施するための形態】
【０００９】
本発明に係る保持器をアンギュラ玉軸受に適用した例で以下説明するが、本発明は本実施例に限定されない。
【００１０】
保持器１０は、図４に示すように外径面１１と内径面１２とを有するリング形状であり、相対的に外径が大きい側の大端面４１と、外径が小さい側の小端面４０を有する。
そのＡ〜Ｄ視を図５に示し、部分斜視図を図１（ａ）、ポケットＰの斜視図を図１（ｂ）に示す。
保持器１０は、ナイロン等の弾性を有する樹脂材料を用いて製作するのが好ましい。
保持器１０は、図３（ｃ）に示すように外輪３１と内輪３２との間に転動体として複数の玉２０を配置し、この玉２０が保持器１０により等間隔に隔離保持されている。
ポケットＰは、図１（ｂ），図５に示すように、内径面側は円筒面からなる円筒部１３に形成し、外径面側は球面からなる球面形状部１４となっている。
球面形状部１４は、小端面４０側に開口し、玉２０を保持する部分が円弧部１５の形状となっている。
円弧部１５は、図３（ａ）に示すように玉２０を球面形状部１４にて抱え込むようにして全体的に摺接保持する。
また、円弧部１５の２つの端点（始点と終点）をそれぞれ１６ａ（図６にて図示する従来の保持器１００のＳ１に相当する位置），１６ｂ（図６にて図示する従来の保持器１００のＳ２に相当する位置）とすると、図１（ｂ）に示すように２つの端点１６ａ，１６ｂは、ポケットＰの幅方向の中心線ＰＣを基準にして、共に保持器１０の小端面４０側に位置している。
さらに、図５（ａ）に示すように∠１６ａ  Ｏ  １６ｂで示される円弧部１５側の中心角θは、１８０°を超える。
言い換えると、玉に摺接する円弧部側の中心角が１８０°を超えるとは、図５（ａ）にて説明すると、玉を円弧部１５にて抱え込むように保持し、その円弧部１５の中心角θが１８０°を超えることをいう。
【００１１】
保持器１０のポケットＰの玉保持中心のピッチ円直径ＰＣＤＰは、図３（ａ）に示すように各玉のピッチ円直径ＰＣＤＢよりも小さくなるように設定してあり、玉２０を内輪３２側に押し付けるように保持してある。
これにより、玉２０に遠心力が作用したり、外輪３１が熱膨張等により拡径しても安定的に玉２０を保持する。
【００１２】
本実施例は、図３（ｃ）に示すようにアンギュラ玉軸受の例になっており、外輪３１，内輪３２との干渉を避けるよう、保持器１０の径は左右で異なり、その間をテーパでつなげた形になっているが、円筒部１３と球面形状部１４の組み合せを用いたものである限りにおいて、本実施例に制限されない。
【符号の説明】
【００１３】
１０      保持器
１１      外径面
１２      内径面
１３      円筒部
１４      球面形状部
１５      円弧部
１６ａ    端点
１６ｂ    端点
４０，８０    小端面
４１，８１    大端面
Ｐ        ポケット
ＰＣ       ポケットの幅方向の中心線
【図１】
2016145595.tif 000003
【図２】
2016145595.tif 000004
【図３】
2016145595.tif 000005
【図４】
2016145595.tif 000006
【図５】
2016145595.tif 000007
【図６】
2016145595.tif 000008